(57)【要約】【課題】面付印刷において、印刷された画像にムラや色ずれが生じることがあった。【解決手段】  完成時に接して配置される複数のページの各々を構成する画像を、１枚のシートの中に互いに離間して配置した状態で印刷を行なうに先立って、色の微調整を行なうべきページをペアとして指定し、色の微調整を行なうべき領域が印刷装置の幅方向の同一位置あるいは近接位置となるように、各ページを配置する。【選択図】図１
2009223846.tif 000002
【特許請求の範囲】
【請求項１】
画像の印刷を行なう印刷装置に画像データを出力することにより、少なくとも一組は完成時に接して配置される複数のページの各々を構成する画像を、１枚のシートの中に互いに離間して配置した状態で印刷を行なわせる面付印刷制御装置であって、
前記シートへの印刷に先立って、前記完成時に接して配置される一組のページを、前記印刷装置における印刷条件が近似する位置に配置する印刷位置配置手段と、
該配置後の画像データを前記印刷装置に出力することで印刷を行なわせる印刷指示手段と
を備えた面付印刷制御装置。
【請求項２】
請求項１記載の面付印刷制御装置であって、
前記印刷位置配置手段は、前記一組のページを、該一組のページにおける互いの隣接側の画像を、前記印刷装置において、完成時の隣接関係と近似の位置になるよう配置する
面付印刷制御装置。
【請求項３】
請求項１記載の面付印刷制御装置であって、
前記印刷位置配置手段は、前記一組のページを、該一組のページにおける互いの隣接側の画像を、前記印刷装置における印刷位置が同じ位置になるよう配置する
面付印刷制御装置。
【請求項４】
請求項３記載の面付印刷制御装置であって、
前記印刷位置配置手段は、前記一組のページの一方を他方に対して、上下が反対になるように回転すると共に、両ページが、印刷時において前記シートの搬送方向に並ぶ位置に配置する
面付印刷制御装置。
【請求項５】
請求項１記載の面付印刷制御装置であって、
前記完成時に接して配置される複数のページは、中綴じ印刷物において隣接配置されるページであり、
前記印刷位置配置手段は、中綴じ印刷において印刷時に隣接配置される２つのページを対にして印刷の単位とし、前記一組のページを、該一組のページにおける互いの隣接側の画像が、前記印刷装置における印刷位置が同じ位置になるよう前記対にされたページを配置する
面付印刷制御装置。
【請求項６】
画像の印刷を行なう印刷装置と、該印刷装置に画像データを出力する画像処理装置とからなり、少なくとも一組は完成時に接して配置される複数のページの各々を構成する画像を、１枚のシートの中に互いに離間して配置した状態で印刷を行なわせる面付印刷システムであって、
前記画像処理装置は、前記シートへの印刷に先立って、前記完成時に接して配置される一組のページを、前記印刷装置における印刷条件が近似する位置に配置する印刷位置配置手段と、
該配置後の画像データを前記印刷装置に出力することで印刷を行なわせる印刷指示手段と
を備えた面付印刷システム。
【請求項７】
画像の印刷を行なう印刷装置に画像データを出力することにより、少なくとも一組は完成時に接して配置される複数のページの各々を構成する画像を、１枚のシートの中に互いに離間して配置した状態で印刷を行なわせる面付印刷方法であって、
前記シートへの印刷に先立って、前記完成時に接して配置される一組のページを、前記印刷装置における印刷条件が近似する位置に配置し、
該配置後の画像データを前記印刷装置に出力することで印刷を行なわせる
面付印刷方法。
【請求項８】
画像の印刷を行なう印刷装置に画像データを出力することにより、少なくとも一組は完成時に接して配置される複数のページの各々を構成する画像を、１枚のシートの中に互いに離間して配置した状態で印刷を行なわせるプログラムであって、
コンピュータに、
前記シートへの印刷に先立って、前記完成時に接して配置される一組のページを、前記印刷装置における印刷条件が近似する位置に配置する第１の機能と、
該配置後の画像データを前記印刷装置に出力することで印刷を行なわせる第２の機能と
を実現させるための面付印刷プログラム。
【発明の詳細な説明】
【技術分野】
【０００１】
本発明は、完成時に接して配置される複数のページの各々を構成する画像を、１枚のシートの中に互いに離間して配置した状態で印刷を行なう面付印刷に関するものである。
【背景技術】
【０００２】
従来、完成時に接して配置される複数のページの各々を構成する画像を、１枚のシートの中に互いに離間して配置した状態で印刷を行なう面付印刷制御装置が知られており、いわゆるカンプの出力時などに用いられている。こうした面付印刷制御装置としては、例えば下記特許文献１記載の技術が知られている。この面付印刷制御装置では、画像と文字とにより、画像処理の内容を変えて、全体として望ましい画像を形成しようとしている。
【０００３】
【特許文献１】特開平０６−１９４８１８号公報
【特許文献２】特開平０９−２６１４９３号公報
【特許文献３】特開平０６−１３５０５１号公報
【０００４】
また刷版データの補正を行なう特許文献２のように、画像毎にトーンカーブを調整することで、画像毎の濃淡や色ずれなどを調整するものが知られている。更に、通常のプリンタでは、用紙幅方向の色むらを補正するために、シェーディング補正と呼ばれる技術も知られている（特許文献３）。
【発明の開示】
【発明が解決しようとする課題】
【０００５】
しかしながら、これらの補正を施した上で面付印刷を行なっても、なお色ムラが取り切れない場合が存在した。その一例を図２９に基づいて説明する。図２９は、４頁（第１、第２、第３、第４頁）分の画像データを、一枚の用紙に面付印刷する場合を示している。このとき、第２頁と第３頁とが、いわゆる見開きを構成する場合がある。見開きの左右の頁に亘る画像が存在すると、両画像は、連続した一つの画像を形成するので、その隣接する領域ａ１，ｂ１では、見る者は、僅かな色ムラが存在しても気づいてしまう。もとより、用紙幅方向の色ムラを修正するシェーディング補正が完璧に行なわれていれば、こうした色ムラは生じないとも考えられるが、実際には、図２９に示したように、第２頁と第３頁は、用紙に対して、幅方向Ｘにも、搬送方向Ｙにもずれて配置されているから、印刷条件を完全に揃えることは困難であり、色むらは生じてしまう。なお、こうした課題は、カラー印刷の場合に強く意識されるが、モノトーンの印刷の場合でも、同様の問題が生じることは言うまでもない。
【課題を解決するための手段】
【０００６】
本発明は、上記の問題の少なくとも一部を解決することを目的としてなされたものであり、次の態様または適用例として実施可能である。
【０００７】
［適用例１］
画像の印刷を行なう印刷装置に画像データを出力することにより、少なくとも一組は完成時に接して配置される複数のページの各々を構成する画像を、１枚のシートの中に互いに離間して配置した状態で印刷を行なわせる面付印刷制御装置であって、
前記シートへの印刷に先立って、前記完成時に接して配置される一組のページを、前記印刷装置における印刷条件が近似する位置に配置する印刷位置配置手段と、
該配置後の画像データを前記印刷装置に出力することで印刷を行なわせる印刷指示手段と
を備えた面付印刷制御装置。
【０００８】
この面付印刷制御装置では、シートへの印刷に先立って、完成時に接して配置される一組のページを、印刷装置における印刷条件が近似する位置に配置するから、両ページの印刷の条件は近似し、印刷のムラなどの発生を抑制することができる。
【０００９】
［適用例２］
適用例１記載の面付印刷制御装置であって、
前記印刷位置配置手段は、前記一組のページを、該一組のページにおける互いの隣接側の画像を、前記印刷装置において、完成時の隣接関係と近似の位置になるよう配置する
面付印刷制御装置。
【００１０】
この面付印刷制御装置では、印刷物としての完成時には接して配置される一組のページを、この一組のページにおける互いの隣接側の画像が、印刷装置において、完成時の隣接関係と近似の位置になるよう配置するから、両ページの印刷条件も近似することになり、印刷のムラなどの発生を抑制することができる。
【００１１】
［適用例３］
適用例１記載の面付印刷制御装置であって、
前記印刷位置配置手段は、前記一組のページを、該一組のページにおける互いの隣接側の画像を、前記印刷装置における印刷位置が同じ位置になるよう配置する
面付印刷制御装置。
この場合には、印刷位置が同じ位置になるので、印刷のムラなどの発生は更に抑制される。
【００１２】
［適用例４］
適用例３記載の面付印刷制御装置であって、
前記印刷位置配置手段は、前記一組のページの一方を他方に対して、上下が反対になるように回転すると共に、両ページが、印刷時において前記シートの搬送方向に並ぶ位置に配置する
面付印刷制御装置。
かかる面付印刷制御装置では、容易に印刷位置を同じ位置にすることができる。
【００１３】
［適用例５］
適用例１記載の面付印刷制御装置であって、
前記完成時に接して配置される複数のページは、中綴じ印刷物において隣接配置されるページであり、
前記印刷位置配置手段は、中綴じ印刷において印刷時に隣接配置される２つのページを対にして印刷の単位とし、前記一組のページを、該一組のページにおける互いの隣接側の画像が、前記印刷装置における印刷位置が同じ位置になるよう前記対にされたページを配置する
面付印刷制御装置。
【００１４】
かかる面付印刷制御装置では、いわゆる中綴じ印刷物においても、完成時に接して配置されるページを、印刷条件が近似する条件で印刷することができ、印刷のムラなどの発生を抑制することができる。
【００１５】
上記の印刷制御装置は、ページを単位とした画像データを処理し出力するアプリケーションプログラムを実行するコンピュータや、プリンタドライバを組み込んだコンピュータとして実施することができる。あるいは、印刷装置（例えばプリンタ）とコンピュータとからなる面付印刷システムとしても実現することができる。あるいは、それらの方法として、更にはその方法をコンピュータに実現させるプログラムとしても実施することができる。
【００１６】
なお、印刷装置としては、各種プリンタ、プロッタ、印刷機などが考えられる。プリンタとしては、インクジェットプリンタ、レーザプリンタ、ＬＥＤプリンタなど、種々のタイプのプリンタが使用可能である。モノクロでもカラーでも適用可能だが、特にカラープリンタ等の場合には、色ずれや色ムラの抑制という点でメリットが大きい。また、印刷の手法の違うものとしては、ヘッドが用紙の幅を方向に往復動するシリアルプリンタや用紙の幅方向に亘るヘッドを備えたラインプリンタなどがある。
【発明を実施するための最良の形態】
【００１７】
実施例の概要：
本発明を実施するための最良の形態について、以下、実施例を挙げて説明する。図１は、実施例としての面付印刷システム１０の概略構成を示す説明図である。図示するように、この面付印刷システム１０は、面付印刷制御装置として動作するパーソナルコンピュータＰＣと印刷装置２０とからなる。印刷装置２０は、印刷制御を司る制御部３０、この制御部３０に接続されて各種入力操作や表示を行なう操作パネル４０、メモリカードＳＤからのデータを読み込むメモリカードリーダ５０、パーソナルコンピュータＰＣなどに接続するためのＵＳＢコネクタ６０、６色のカラーインクをそれぞれ収納するインクカートリッジ７０、シート（用紙）ＰＰの幅方向に亘ってインクを噴射可能なラインヘッド８０、シート（用紙）ＰＰを搬送する搬送機構９０などを備える。印刷装置２０での印刷に用いられるシートＰＰは、通常は紙（用紙）であるが、もともと面付印刷が、カンプの作成など、実際の印刷物に近いものを作成することを目的としているため、裏表が加工されたアート紙など、特殊な用紙が用いられることも少なくない。このため以下の説明では、シートとの呼称に統一する。シートは、紙（用紙）でも良いし、フィルムなどであっても差し支えない。また、以下の説明で、印刷物の頁（ページ）については、第２頁というように、順序を特定した頁を意味するときには、漢字の「頁」で表記し、ページ単位というように、順序を特定しないページを意味するときは、カナの「ページ」で表記することを原則とする。
【００１８】
制御部３０は、全ての処理を司るＣＰＵ３１、このＣＰＵ３１が実行するプログラムや処理中のデータなどを保存するメモリ３２、ラインヘッド８０にデータを出力するためのラインヘッドドライバ回路（以下、単にドライバ回路）３４、ＵＳＢコネクタ６０に接続されてデータの入出力を行なうＵＳＢインタフェース３６、メモリカードリーダ５０殿やり取りを行なうメモリカードインタフェース３７および操作パネル４０とのやり取りとを行なうＩ／Ｏインタフェース３８を備え、これらの素子および回路を、バスにより相互に接続している。なお、操作パネル４０は、カーソルキーや決定キーなどの複数の操作キーと、液晶表示パネルとを有する。
【００１９】
制御部３０は、単独で印刷を行なう場合には、メモリカードＳＤから読み取った印刷すべき画像を、内部のメモリ３２に展開し、ハーフトーン処理を行なって、ドットのオン・オフのデータに変換し、印刷を行なう。他方、パーソナルコンピュータＰＣからの指示を受けて印刷を行なう場合には、いわゆるハーフトーン処理済みのデータ、すなわちドットのオン・オフのデータをパーソナルコンピュータＰＣから受け取り、印刷を行なう。印刷は、この印刷装置２０では、インクカートリッジ７０、ラインヘッド８０および用紙搬送機構９０からなるラインプリンタエンジンを用いて行なわれる。
【００２０】
ラインプリンタエンジンは、シートＰＰの幅方向に亘って設けられたラインヘッド８０から、多色のインクドットを、シートＰＰ上の所望の位置に噴射することにより、ラインを単位として印刷を行なう。本実施例では、ラインヘッド８０は、シートＰＰの幅方向に亘って、各色１６００ｄｐｉのピッチで用意された多数のインク噴射用ノズルを、６色分、つまり６列分有する。このインク噴射用ノズルには、インクカートリッジ７０からインク供給管７２を介して、６色のインクがそれぞれ送り込まれる構成となっている。６色のインクの内訳は、Ｋ（ブラック）、Ｙ（イエロ）、ＬＣ（ライトシアン）、Ｃ（シアン）、ＬＭ（ライトマゼンタ）、Ｍ（マゼンタ）である。なお、本実施例のラインヘッド８０は、各ノズルに小さなヒータを備え、ヒータの加熱時に発生する泡（バブル）を利用してインクを噴射するいわゆるバブルジェット方式を採用している。本実施例では、噴射するインク滴の大きさは変更できないが、ピエゾの歪みを利用してインクを噴射する方式などを採用し、インク滴の大きさを制御する構成としても差し支えない。また、インク噴射用ノズルは、１６００ｄｐｉの密度で一直線上に配列しても良いし、千鳥の位置にずらして２列に配置しても良い。
【００２１】
かかるラインヘッド８０には、各インク出力用ノズル列毎にラインバッファが設けられており、制御部３０は、このラインバッファにデータを送信する。１列分のデータが用意されたところで、用紙の搬送に同期して、制御部３０は、ラインヘッド駆動パルスを出力する。ラインヘッド８０は、このラインヘッド駆動パルスを受けると、ラインバッファに用意されたデータに従って、インク噴射用ノズルからインク滴を噴射する。インク滴が噴射されると、制御部３０は、用紙搬送機構９０を駆動して用紙を搬送する。
【００２２】
用紙搬送機構９０は、ラインヘッド８０と対向する位置に設けられたプラテン９１と、このプラテン９１および図示しない搬送ローラなどを同期して駆動する紙送りモータ９２とを備える。紙送りモータ９２は、ステップモータであり、Ｉ／Ｏインタフェース３８を介して出力されたパルスに同期して回転する。紙送りモータ９２が回転すると、プラテン９１と搬送ローラとが回転し、シートＰＰが所定量、例えば１／７２０インチだけ搬送される。
【００２３】
インク噴射用ノズルはシートＰＰの搬送方向に僅かずつずれて設けられているから、制御部３０は、これらの差異を吸収して、所望の位置にインク滴を噴射できるよう、ドットのオン・オフのデータの準備、ラインヘッド駆動パルスの出力、用紙搬送機構９０の駆動などを全て計算し、制御を実施する。
【００２４】
このラインヘッド８０に送信されるデータは、本実施例では、印刷装置２０に接続されたパーソナルコンピュータＰＣ側で作られる。本実施例では、面付印刷処理は、パーソナルコンピュータＰＣでの処理に基づいて行なわれるものとしている。具体的な処理については後で詳しく説明するが、概略を示せば、使用者は、パーソナルコンピュータＰＣのディスプレイＤＰを見ながら、キーボードＫＢを操作して文字を入力したり、ポインティングデバイスであるマウスＭＣなどを操作し、必要な指示を行なう。パーソナルコンピュータＰＣは、指示を受けて、複数のページの配置の組み替え、ラスタライズやハーフトーン処理などを行ない、データを印刷装置２０に出力する。
【００２５】
第１実施例の面付印刷処理の概要：
次に、第１実施例の面付印刷処理の概要について説明する。図２は、パーソナルコンピュータＰＣで実行される面付印刷処理の概要を示すフローチャートである。図示するように、面付印刷処理は、色合わせペア指定処理（ステップＳ１００）、面付け処理（ステップＳ２００）、および印刷処理（ステップＳ４００）を順次実行することにより行なわれる。色合わせペア指定処理（ステップＳ１００）は、印刷物としての完成時に見開きページになるために高度な色合わせを行なうべきページの関係を指定する処理である。この処理が実行されると、色合わせペアデータＣＴが作成され、テーブルの形でパーソナルコンピュータＰＣ内のメモリ（通常はＲＡＭ）に保存される。またこの色合わせペアデータＣＴは、次の面付け処理で参照される。面付け処理（ステップＳ２００）が実行されると、面付きデータＰＴが作成され、メモリにテーブルの形で記憶される。この面付きデータＰＴは、印刷処理で参照される。なお、パーソナルコンピュータＰＣには、ハードディスクも内蔵されているため、各テーブルはハードディスクに保存しても良い。
【００２６】
色合わせペアの指定処理：
色合わせペア指定処理（ステップＳ１００）を、図３のフローチャートに示した。この処理は、パーソナルコンピュータＰＣ上で実行されているデスクトップパブリッシング（ＤＴＰ）ソフトウェアから印刷指示を出したとき、ＤＴＰソフトウェアに組み込まれたアドインソフトとして、いわゆる印刷処理（ラスタライズなどの処理）に先立って行なわれる。この処理が開始されると、パーソナルコンピュータＰＣは、そのディスプレイＤＰ上に、図４に示した画面を表示する。
【００２７】
この例では、ＤＴＰソフトウェアが作成した複数のページ（この例では、１ないし９）をディスプレイＤＰの左側に、操作用のボタンなどを右側に、それぞれ表示している。複数ページの表示は、見開きの状態が考慮されており、この例では、第２頁と第３頁、第４頁と第５頁、第６頁と第７頁、第８頁と第９頁が、それぞれ見開きの関係にあることが分かるように、それぞれ近接して表示される（後述するように、こうした表示を「ページ連結性表示」と呼ぶ）。
【００２８】
画面右側の操作ボタンとしては、「ページ連結性表示」ボタンＢＴ１、「ページ単位表示」ボタンＢＴ２、「テキスト編集表示」ボタンＢＴ３」、「色合わせ位置指定」ボタンＢＴ４が表示されている。そこで、まずどのボタンが操作されたかの判断を行なう（ステップＳ１１０）。マウスＭＣを操作してカーソルＭ１を「ページ連結性」ボタンＢＴ１の上において、マウスボタンをクリックすると、ステップＳ１１０では、「ページ連結性表示」ボタンＢＴ１が操作されたものと判断し、図４に示したページ連結性表示を行なう（ステップＳ１２０）。その後、処理は一旦「ＮＥＸＴ」に抜けて、また最初から繰り返す。
【００２９】
図４の表示に切り替えられた後、使用者が「ページ位置指定」ボタンＢＴ４を操作したことを検出すると（ステップＳ１１０）、処理はステップＳ１３０以下に移行するが、このとき、カーソルを、色合わせペアの指定を行なうことを示す専用のポインタＭＭの表示に切り換えた上で、マウスクリックが行なわれるまで待機する。使用者がポインタＭＭを、画面左側のページの表示のところに持って行き、マウスボタンをクリックすると、これを検出し（ステップＳ１３０）、そのときのポインタの位置を読み取る（ステップＳ１４０）。そしてポインタＭＭの位置と、ディスプレイＤＰに表示されているページの位置から、ポインタＭＭの左右に存在する対応ページＫ１、Ｋ２を特定する（ステップＳ１５０）。ポインタＭＭの位置を読み取って左右の対応ページＫ１，Ｋ２を特定するには、ポインタの位置から左右に所定量だけ隔たった位置のページ番号を読み取ることにより行なうことができる。読み取ったページ番号が同一の番号であったり、一方または両方の位置にページが存在しなかったりすれば、ポイント位置が不正であるとして、ステップＳ１３０から処理をやり直せばよい。もとより、「ページの境界をクリックしてください」といった警告を表示することも差し支えない。
【００３０】
左右の対応ページＫ１，Ｋ２を特定した後、両ページＫ１，Ｋ２が連結性を有するか否かを判定する（ステップＳ１６０）。例えば、ポインタＭＭを、第３頁と第４頁の間においてクリックした場合には、両ページ間には連結性がそもそも存在しないので、この場合もステップＳ１３０に戻って処理を繰り返す。ポインタＭＭで指定し、特定された対応ページＫ１，Ｋ２が連結性を有していれば（ステップＳ１６０）、このページＫ１，Ｋ２を色合わせを行なうべきペアであるとして、色合わせペアデータＣＴとして記録する処理を行なう（ステップＳ１７０）。例えば、図４に示した例のように、第２頁と第３頁の間にポインタＭＭを持って行ってクリックすれば、Ｋ１=２、Ｋ２=３として、色合わせのペアがテーブルに記録される。以上の処理の後、「ＮＥＸＴ」に抜けて処理を一旦終了する。
【００３１】
なお、図４に例示した画面で、上記の「ページ連結性表示」ボタンＢＴ１、「色合わせ位置指定」ボタンＢＴ４以外のボタンをクリックすると、その他の処理（ステップＳ１９０）が行なわれる。「ページ単位表示」ボタンＢＴ２をクリックすれば、各ページ単位での表示に切り換わり、「テキスト編集表示」ボタンＢＴ３をクリックすれば、各ページに収められたテキストの編集が可能となる。
【００３２】
上述した色合わせペアの指定処理を実行することで、色合わせペアデータＣＴが作成される。この色合わせペアデータＣＴの一例を、図５に示した。図示するように、この例では、第２，第３頁間にペア配置指定がなされ、ペアの相手が記録される。また、連結性データを参照することにより、左側に第２頁、右側に第３頁がくることが分かるので、色の微調整を行なうべき位置が、第２頁については右側、第３頁については左側であることも、色合わせペアデータＣＴには記録される。一般に横組みの印刷物では、見開きの左側が偶数ページ、右側が奇数ページで、かつ左から右側に向かってページ番号が増大するようになっている。他方、縦組みの印刷物では、見開きの右側が偶数ページ、左側が奇数ページで、かつ右から左側に向かってページ番号が増大するようになっている。この情報を利用して、色の微調整を行なう位置を特定するのである。
【００３３】
面付け処理：
以上説明した色合わせ位置指定処理が完了し、色合わせペアデータＣＴを作成した後、次の面付け処理（ステップＳ２００）を実行する。面付け処理（ステップＳ２００）は、パーソナルコンピュータＰＣ上では、プリンタドライバの処理の一部として実行されている。もとより上記の色合わせペアの指定処理を行なったアドインソフトの一部として実施することも差し支えない。面付け処理（ステップＳ２００）の詳細を説明する前に、面付印刷のレイアウトについて図６を用いて説明する。図６は、面付きレイアウトの位置を示す説明図である。第１実施例では、面付印刷は、ページ毎に、長尺のシートに裏表で行なう。長尺のシートへの裏表の印刷は、一旦表面の位置Ａ１、Ａ２、Ａ３に割り当てられたページを印刷し、次のこのシートを裏返して印刷装置２０に装着し、今度は裏面の位置Ｂ１、Ｂ２、Ｂ３に割り当てられたページを印刷することにより行なわれる。もとより、図４に示した例では、第１ないし第９までのページが表示されていたが、ここでは、シートの長さの関係で、シートの送り方向に、三枚ずつ印刷するものとして説明する。この結果、印刷が完了すると、位置Ａ１ないしＡ３に印刷された各ページの裏面には別のページがそれぞれ位置Ｂ１、Ｂ２、Ｂ３に印刷されることになる。シートＰＰの幅方向（左右方向）を基準にすると、位置Ａ１ないしＡ３に配置されたページの右端の裏面には、位置Ｂ１ないしＢ３に配置されたページの左端が位置することになる。
【００３４】
この条件の下で、図７に示した面付け処理（ステップＳ２００）を開始する。面付け処理とは、実質的には、図６に示したシートのどこにどのページどのように配置するか、という処理である。この処理が開始されると、まず処理対象頁を示す変数Ｎを初期化する（ステップＳ２１０）。すなわち、変数Ｎに値１を入れるのである。処理を開始する頁が、全体の途中からであれば、その開始頁に対応した数値を入れれば良い。次に、配置ポインタＫを初期化（「Ａ１」を設定）し、更に「上下反転」のフラグを「なし」に初期化する。配置ポインタＫは、図６のいずれの位置にページを割り当てるかを示す変数である。また「上下反転」フラグとは、シートＰＰに対して、ページを上下反転して配置するか否かを示すものである。
【００３５】
次に、色合わせペアデータＣＴを参照し、第Ｎ頁についての色合わせ情報をチェックする処理を行なう（ステップＳ２３０）。図５に例示した色合わせペアデータＣＴを参照するのである。色合わせペアデータＣＴにペア配置指定といった情報がなければ、第Ｎ頁をポインタＫの位置（初期位置は「Ａ１」）に配置し、レイアウト上の位置と上下反転の有無を、面付きデータＰＴとして記録する処理を行なう（ステップＳ２４０）。上下反転は、図８に示すように、例えば第３頁を上下入れ替えて配置する場合に上下反転「有り」となる。図７に示した処理が最初に実行された時点では、上下反転フラグは「なし」に初期化されているので（ステップＳ２１０）、第１頁については、レイアウト位置「Ａ１」、上下反転フラグ「なし」となる。こうした面付きデータＰＴの一例を図９に示した。
【００３６】
第Ｎ頁についての処理を終了すると（ステップＳ２４０）、次のこのレイアウト位置（最初は「Ａ１」）の裏ページが既に配置済みであるか否かの判断を行なう（ステップＳ２４５）。裏ページの配置が済んでいなければ、配置ポインタＫを反転する処理を行なう（ステップＳ２５０）。つまり配置ポインタＫが図６の「Ａ１」「Ａ２」「Ａ３」なら、配置ポインタを「Ｂ１」「Ｂ２」「Ｂ３」とするのである。そして、最終ページまで処理が済んだかを判断し（ステップＳ２６５）、処理が済んでいなければ、ページ番号を示す変数Ｎを値１だけインクリメントし（ステップＳ２７０）、ステップＳ２３０に戻って処理を再度実行する。
【００３７】
Ｎ=２、Ｋ=「Ｂ１」として、ステップＳ２３０以下の処理を実行すると、色合わせ情報は有り、となる（ステップＳ２３５）。この場合には、ペアの相手が既に配置済みか否かを判断する（ステップＳ２７５）。第２頁のように、ペア配置情報「有り」のページの最初の側を特定した場合は、ステップＳ２７５での判断は「ＮＯ」となり、上述したステップＳ２４０以下を実行する。第２頁の場合、「裏ページは配置済みか」というステップＳ２４５での判断が「ＹＥＳ」になるから、この場合には、配置ポインタＫを「Ａ」側にセットし、配置ポインタＫを値１だけインクリメントし、上下反転フラグを「無し」に初期化する処理を行なう（ステップＳ２６０）。この結果、第２頁（Ｎ=２）を処理した後には、Ｋ=「Ａ２」、上下反転フラグ「なし」、Ｎ=３となる。
【００３８】
処理の対象ページが進み、Ｎ=３、つまり第３頁を処理する際には、色合わせ情報がありとなり（ステップＳ２３５）、ペアの相手は配置済みとなる（ステップＳ２７５）。この場合には、処理はステップＳ２８０以下に進み、配置ポインタＫをペア配置裏表に合わせてる処理を行なう。この処理を、図８を用いて説明する。第３頁を処理する際には、配置ポインタＫは、「Ａ２」となっている。従って、図８（Ｂ）に示すように、第３頁はそのままであれば、「Ａ２」の位置に配置される。しかし、ペアの相手が配置済みである場合には、ステップＳ２８０の処理により、既に配置されたペアの配置された側に合わせるのである。つまり、表面（Ａ１、Ａ２、Ａ３）側か、裏面（Ｂ１、Ｂ２、Ｂ３）側かを合わせるのである。この例では、図８（Ａ）に示したように、第３頁は第２頁と同じ側（Ｂ側）に配置される。
【００３９】
更にその上で、色微調整位置（左右）がペアで位置するように上下反転フラグのセットを行なう（ステップＳ２９０）。ペア配置指定がなされた第２，第３頁については、色の微調整位置は、図５に示したように、第２頁が右、第３頁が左である。図８（Ａ）に示したように、第３頁について上下反転を行なわないと、それらのサイドは左右に分かれて一致しない。そこで、図８（Ａ）に示したように、着目しているページ（ここでは第３頁）については、上下反転フラグを「有り」に設定するのである。この結果、図８（Ａ）に示したように、第３頁は、裏面Ｂ２の位置に配置され、かつ上下が反転されることになる。
【００４０】
ステップＳ２８０の処理の後、上述したステップＳ２４０以下の処理を繰り返す。つまり第Ｎ頁を配置ポインタＫの位置に配置し、レイアウト位置と上下反転の有無を、面付けデータＰＴとして記録し（ステップＳ２４０）、裏ページにはまだ配置されていないことから、配置ポインタＫを反転（この場合は、Ｂ２→Ａ２）する（ステップＳ２４５、Ｓ２５０）。なお、第４頁を処理する場合には、色合わせ情報はないので（ステップＳ２５３）、そのまま第４頁を配置ポインタＫ（この場合は「Ａ２」）の位置に配置し、レイアウト位置と上下反転の有無を、面付きデータＰＴとして記録し（ステップＳ２４０）、裏ページは第３頁が配置済みであることから、配置ポインタＫを「Ａ」側にセットし、配置ポインタＫをインクリメントし、更に上下反転フラグを「なし」に初期化する（ステップＳ２４５、Ｓ２６０）。
【００４１】
こうした処理を、第１頁（Ｎ=１）から最終ページまで行ない、最終ページにいたったら（ステップＳ２６５）、本処理を終了する。この結果、面付けデータＰＴは、図９に示したようになり、これに従う各ページの面付きの状態は、図８（Ａ）に示した状態となる。図７に示した面付け処理を行なわなければ、図８（Ｂ）に示した状態となり、面付け処理（ステップＳ２００）により、第３、第４頁の印刷位置が入れ替えられ、かつ上下が反転されて印刷されることが分かる。
【００４２】
上述した面付け処理（ステップＳ２００）の後、印刷処理（ステップＳ４００）が行なわれ、シートＰＰの裏表に、第１ないし第６頁が印刷される。具体的には、アドインソフトウェアが、面付けデータＰＴを参照して、印刷すべきページの画像を配置し、これをプリンタドライバに出力する。プリンタドライバは、受け取ったデータに対して、ラスタライズ、色変換、ハーフトーン処理などを施し、印刷装置２０が処理できるドットのオン・オフのデータに変換して出力する。印刷装置２０は、このデータを受け取り、用紙搬送機構９０やラインヘッド８０を駆動して、印刷を行なう。この結果、ペア指定がなされた第２，第３頁については、第２頁の右側ａ２と第３頁の左側ｂ２とが、印刷装置２０の印字の幅方向については、ほぼ同じ位置で印刷されることになる。従って、印刷物として完成された時には、第２頁と第３頁は、図８（Ｃ）に示したように、見開きとなり、その互いに突き当てられた領域ａ２、ｂ２は、印刷装置２０の印刷条件がきわめて近い状態で印刷されたものとなる。つまり、一つの図柄が見開きの頁にまたがって配置されているケースで、印刷装置２０の印刷位置の違いなどによる色のずれが生じることがない。
【００４３】
変形例：以上説明した第１実施例の変形例として、ステップＳ２８０での処理を行なわないものを考えることができる。この場合、ペアの相手が配置済みでも、ペアの配置の裏表を合わせるための配置の入れ替えを行なわない。但し、色の微調整位置（左右）がペア同士で一致しない場合は、上下の反転を行なうこと（ステップＳ２９０）に代わりはない。この結果、各ページの配置は、図１０（Ａ）に示しものとなる。このとき、第３、第４頁の配置の入れ替えは生じず、単に上下の反転のみが生じる。この場合でも、印刷物として完成すると、第２，第３頁は、図１０（Ｂ）に示すように、見開きになるが、見開きの状態で付き合わされる領域ａ３、ｂ３は、図１０（Ａ）に示したように、シートＰＰの印刷としては、表と裏で別れているものの、印刷装置２０の幅方向における印刷位置としては、ほぼ同一となる。この結果、印刷位置の違いによる色ずれなどの発生は最小限度に抑えられることになる。
【００４４】
第２実施例：次に、第２実施例として、完成する印刷物との綴じ方が異なる例について説明する。印刷物には、雑誌などで用いられる、いわゆる中綴じと呼ばれる綴じ方が存在する。この場合は、各ページは、図１１に示すように、例えば全１２ページを中綴じすると、第１頁＋第１２頁（図１１では背面になっており、符号のみを図示）の裏面に、第２頁＋第１１頁が印刷される。以下、第３頁＋第１０頁の裏に、第４頁＋第９頁が印刷され、第５頁＋第８頁の裏面に第６頁＋第７頁が印刷される。要するに、全Ｓページ（但し、Ｓは４の倍数）を中綴じで製本するものとして印刷する場合、第（２Ｊ＋１）頁＋第（Ｓ−２Ｊ）頁の裏に、第（２Ｊ＋２）頁＋第（Ｓ−２Ｊ−１）頁を印刷するのである（但しＪは、０、１、２・・・）。
【００４５】
この場合には、図１３に示すように、左右２ページを一つの印刷単位としてみて、これを、表面については「Ａ１」「Ａ２」「Ａ３」のいずれかに配置すると考え、裏面については「Ｂ１」「Ｂ２」「Ｂ３」のいずれかに配置すると考える。第１実施例では、各ページの配置を配置ポインタＫにより示したが、第２実施例では、左右２ページを一つの単位（以下、「葉」と呼ぶ）とし、その配置を配置ポインタＫにより示す。従って、面付けデータＰＴについても、この「葉」に基づいて記録を行なうものとし、図１２に例示したように、各葉に、いずれのページが含まれるかを併せて記録する。
【００４６】
こうした中綴じ印刷でのペアの配置と色の微調整位置との関係について説明する。図１４は、中綴じされた印刷物の様子を示す説明図である。図示するように、左開きで中綴じされた印刷物は、扉を第１頁とすると、第２頁と第３頁が見開きになるが、第２頁と第３頁とは異なる葉に、それぞれ印刷されることになる。従って、第２頁と第３頁とがペア指定されるということは、色の微調整位置ａ４，ｂ４は、シートＰＰからすれば、図１２の色合わせペアデータＣＴに記録されたように、第２頁が属する第２葉では中央左寄りとなり、第３頁が属する第３葉では中央右寄りということになる。
【００４７】
上記の前処理および前提を踏まえて、図７に示した面付け処理を行なう。但し、図１５に示したように、図７のステップＳ２９０と図１５のステップＳ２９５は、色の微調整を行なう位置の考え方が異なる。これは、色微調整が、第１実施例では、左右の端であったのに対して、本実施例では、図１２に示したように、中央左右寄りのいずれかであることに拠っている。この結果を、図１６に示した。第２実施例では、左右の端ではなく、各葉に含まれるページの左右端、結果的には、各様の中央左寄りか右寄りかに位置する領域ａ４，ｂ４が一致するように、配置と上下の反転とを設定している。
【００４８】
この例では、結果的に、第３および第１０頁が配置された第４葉が裏面の「Ｂ２」の位置に配置され、かつ上下反転されることになる。従って、第３頁とペアになる第２頁（裏面Ｂ１に配置）と、印刷の位置が、印刷装置２０の幅方向においてほぼ同一位置となる。このため、第２頁の右端ａ４と第３頁の左端ｂ４との色ずれなどはほとんど発生しない。これに対して、面付け処理を行なわない場合は、図１７に示した配置となり、色ずれが生じる可能性が高くなる。
【００４９】
なお、第１実施例の変形例と同様に処理を行なうことにより、図１８に示した配置を得ることも容易である。この場合、図１５のステップＳ２９５の処理を行なわないものとしている。この結果、第３葉と第４葉については、上下を反転する処理は行なわれない。この場合には、印刷位置は、完全には一致しないが、印刷装置２０の幅方向中央部であって、比較的近い位置にあること、および第２頁を含む第２葉を印刷してから、第３頁を含む第４葉を印刷するまでの時間的な差が小さいので、インクカートリッジ７０内のインク量の変化が小さい、印刷条件が大きくは相違しないという利点がある。インクカートリッジ７０内のインク量が大きく変化すると、特に微小なインク滴を形成する場合には、影響を受けることがあるからである。この変形例では、印刷の時間的な違いが小さく、かつ印刷位置が近いため、色ずれの発生は大幅に抑制される。
【００５０】
第３実施例：次に本発明の第３実施例について説明する。この実施例は、上記の他の実施例と同一のハードウェア構成を用いるが、面付印刷では、シートＰＰの幅方向に２ページを、シートＰＰの長さ方向（搬送方向）にも２ページを配置し、計４ページを一組として扱う。図１９は、第３実施例における色合わせペアデータＣＴの内容を示す説明図である。この例では、色合わせペアの指定処理により、第２頁と第３頁が、色合わせを行なうべきペアとされている。かかる色合わせペアデータＣＴが作成されたのち、面付け処理として、図２０の処理を実施する。
【００５１】
この処理が開始されると、まず、変数Ｎを値１に初期化し（ステップＳ５１０）、かつ配置を示すポインタＫについてもこれを初期化する（Ｋ←Ａ１）処理を行なう（ステップＳ５２０）。ポインタＫの配置は、図２０に示したように、１枚のシートにＡ１ないしＢ２の４箇所が設定されており、ポインタＫは、Ａ１→Ｂ１→Ａ２→Ｂ２の順に更新される。初期化の処理の後、まず第Ｎ頁について、色合わせペアデータＣＴを参照し、そこに登録された色合わせ情報をチェックする（ステップＳ５３０）。色合わせペアデータＣＴには、色合わせを行なうべきペアの配置指定があるか否かの情報が記録されているので、これを参照して、色合わせ情報が有るかないかを判断する（ステップＳ５３５）。色合わせペアデータＣＴに色合わせのペア配置指定の情報が「有り」となっていれば、色合わせ位置に応じてペアを配置する処理を行ない（ステップＳ５４０）、色合わせのペア配置指定の情報が「なし」であれば、現在の配置にそのまま仮配置する（ステップＳ５５０）。その上で、全てのページについての配置を済ませたか確認し（ステップＳ５５５）、第１頁ないし第４頁について完了していなければ、ページ数を示す変数Ｎを値１だけインクリメントして（ステップＳ５６０）、上述したステップＳ５３０から処理を繰り返す。全てのページについての処理が完了すれば（ステップＳ５５５）、それまでに行なった配置を確定させ（ステップＳ５７０）、面付けデータＰＴとして出力する。
【００５２】
図２０において、色合わせ位置に応じてペアを配置する処理（ステップＳ５４０）を行なう際、種々のバリエーションを考えることができる。最も単純な配置は、図２１に示したように、ペアに指定されたページを見開きのままに配置するものである。この場合、色合わせを行なうべき領域ａ６，ｂ６は、印刷装置２０の幅を方向に対して同一の位置とはならないが、近接した位置となることから、色ずれは比較的小さく保たれる。他方、図２２に示すように、第２頁を配置ポインタＫ=Ａ１の位置に、第３頁を配置ポインタＡ２の位置に配置し、かつ第３頁または第２頁を上下反転させることもできる。この場合には、第２，第３頁の色合わせすべき領域ａ７，ａ８は、印刷装置２０の幅方向に対して同一の位置となるので、色合わせはきわめて良好に行なわれる。こうした効果は、第１，第２実施例と同一である。
【００５３】
こうした配置は、ステップＳ５４０において、色合わせ位置に応じてペアを配置する際のアルゴリズムを予め決めておくことにより実現可能である。なお、このステップＳ５４０の処理以前に配置されたページがあっても、色合わせ位置に応じたペアの配置以外は仮配置（ステップＳ５５０）なので、色合わせ位置に応じたペアの配置が優先され、仮配置されたページは他の位置に移動される。図２２に示した例では、第１頁は、最初配置ポインタＫ=Ａ１の位置に仮配置されるが、次に着目した第２頁に色合わせ配置指定が「有り」になっていることから、第２，第３頁をＡ１、Ａ２の位置に配置する処理が優先され、仮配置された第１頁は、Ｂ１の位置に移動される。また第３頁は、色の微調整位置を合わせるための上下反転されることになる。
【００５４】
第４実施例：次に、本発明の第４実施例について説明する。第４実施例は、第３実施例と同位置のハードウェア構成を採用している。第４実施例では、パーソナルコンピュータＰＣは、図２３に示した面付印刷処理を実行する。この処理は第１実施例の処理（図２）とは、バーコードの配置処理（ステップＳ３００）を付加して点以外は同一である。そこで、第３実施例を前提として、第４実施例に独自のバーコード配置処理（ステップＳ３００）について説明する。バーコード配置処理（ステップＳ３００）では、面付け処理（ステップＳ２００）で作成された面付けデータＰＴを参照し、各ページの近傍に、バーコードを配置するのである。例えば第３実施例の図２２の配置がなされた場合に、図２４に示すように、各ページの右下に、ページ番号を示すバーコードｂｃ１ないしｂｃ４が配置される。この例では、バーコードは、印刷するページ番号を示しているので、印刷処理（ステップＳ４００）で、各ページの画像と共に印刷され、図示しない後工程で、ページの裁断・製本に利用される。各ページ内にページ数が印刷されているとは限らないため、シートＰＰから各ページを切り落とした後、ページの順番などが分からなくなるということがない。特に本実施例では、各ページは、色合わせのために、ページの順番通りには、配置されないから、こうしたページの順番を示す符号（本実施例ではバーコード）を印刷することは有用である。
【００５５】
変形例：第４実施例では、バーコードは、全てページの右下に配置したが、バーコードを、各ページの配置の上下関係に合わせて配置することも有用である。図２２は、第３頁が上下反転されたのに応じて、バーコードｂｃ３も反転され、ページの左上に配置された例を示している。こうしておけば、印刷されたページの上下を容易に知ることができる。グラフィカルなページでは、必ずしも図柄だけではページの上下を判別しにくいこともあるので、こうした符号（本実施例ではバーコード）の配置は有用である。
【００５６】
最後に、上述した第１ないし第４実施例の変形例として、色合わせペアの指定処理の他の例について説明する。上記の実施例では、図４に示したように、色合わせのペアは、ページ連結性表示を行なった上で、特殊な形状のポインタＭＭを持って行き、マウスボタンをクリックすることにより指定した。これに対して、図２６に示すように、特にページ間の連結性を表示せず、各ページを表示した状態で、指定するものとしても良い。例えば、まず有るページ（図２６では第２頁）の右端でクリックし、続けて隣のページの左端でクリックすると、第２頁の左端と第３頁の右端で色合わせを行なうという指定とみなすものとすることができる。なお、印刷物によっては、ある種のギミックを採用し、第２頁と第４頁で一つの図柄を表わすということもあり得る。例えば、第４頁を通常の頁より小さくしておき、あるいは第４頁を折り込むことにし、またはミシン目などから切り取る構成とし、第２頁の一部を第４頁が覆った状態で一つながりの図柄となる、という構成を採ることができる。こうした場合を想定し、色合わせのペアの指定を、連続するページに限定せず、例えば第２頁の中央と、第４頁の中央（折り込んだり切り取る場合）、あるいは第４頁の左端（第４頁が半ページの場合）とをペアとして指定できるものとしても良い。
【００５７】
図４に示した連結性表示を採用する場合には、第１実施例では、特殊な形状のポインタＭＭを表示し、これを用いて連結されたページの境目をクリックするものとしたが、既に連結性が指定されているのであれば、連結されたページのいずれか一方を、通常のカーソルを用いて指定しクリックするだけで、色合わせのペアの指定とみなすものとしても良い。同様に、ページ間の連結性が既に指定されている場合には、ページ間にまたがる図柄の存在をパーソナルコンピュータＰＣが自動的に判別し、色合わせのペアを指定しても良い。図２７に示した例では、左開きの印刷物として、第２−第３頁、第４−第５頁・・・が指定されており、これらのページにまたがる図柄が存在する場合を示している。こうした場合には、ページにまたがる図柄の存在するページを、色合わせのペアとして、自動的に指定するものとしても良い。このように多数のページが、色合わせのペアとして指定されても、図２８に示すように、各ページの配置位置、上下反転を設定することで、色合わせのペア同士の印刷位置を、印刷装置２０の幅方向で揃えることができる。
【００５８】
以上説明した実施例では、面付印刷のための処理はパーソナルコンピュータＰＣ側で行なったが、印刷装置２０単独で、ほぼ同一の動作を行なうことも可能である。この場合、ラインヘッド８０に送られるデータは、メモリカードＳＤからの読み取ったデータを、制御部３０で展開することにより作られる。具体的には、制御部３０が、メモリカードＳＤ内のデータをカードリーダ５０を用いて読み取り、操作パネル４０に画像データを表示させる。これに対してカーソルキーなどを操作して、隣接関係などの指定を行なうと、制御部３０は、この指定を元に画像データの印字上の配置を決定し、その後、画像データを解析して、各画素毎に所定階調値を有する画像データにするラスタライザ処理、ラスタライズされた画素毎の画像データを色変換する処理、および色変換済みのデータをラインヘッド８０が形成するドットのオン・オフのデータに変換する処理を実施する。
【００５９】
上記の実施例や変形例では、印刷媒体として通常の用紙を用いたが、印刷媒体としてはシート状のものであればよい。例えば、特殊なフィルムや写真用マット紙などであっても同様に印刷することができる。また、上記の実施例や変形例では、印刷手段として用紙の幅方向に亘って設けられたラインヘッドからインクを噴射するラインプリンタエンジンを用いたが、印刷手段としては、ヘッドを印刷媒体搬送方向と交差する方向に走査しつつインクを噴射するシリアルプリンタエンジンを用いてもよいし、あるいは感光ドラムに潜像を順次形成してトナーを転写する電子写真方式のページプリンタエンジンを用いてもよい。
【図面の簡単な説明】
【００６０】
【図１】実施例の面付印刷システム１０の概略構成を示す説明図である。
【図２】面付印刷処理の概要を示すフローチャートである。
【図３】色合わせペアの指定処理の一例を示すフローチャートである。
【図４】色合わせのペアの指定画面の一例を示す説明図である。
【図５】色合わせペアデータＣＴの一例を示す説明図である。
【図６】面付きレイアウトの位置を示す説明図である。
【図７】面付け処理の一例を示すフローチャートである。
【図８】第１ないし第６頁の配置の入れ替えと上下の入れ替えの様子を示す説明図である。
【図９】変形例における面付きデータＰＴの一例を示す説明図である。
【図１０】第１ないし第６ページ配置の入れ替えと色合わせての微調整を行なう領域の関係を示す説明図である。
【図１１】第２実施例に関し、中綴じ印刷物のページ配置について説明する説明図である。
【図１２】第２実施例における面付けデータＰＴの一例を示す説明図である。
【図１３】第２実施例のおける面付け処理での各葉の配置位置Ａ１ないしＡ３、Ｂ１ないしＢ３を示す説明図である。
【図１４】第２実施例における中綴じ印刷物の丁合された形態を示す説明図である。
【図１５】第２実施例における面付け処理の要部を示すフローチャートである。
【図１６】第２実施例における各ページの配置の一例を示す説明図である。
【図１７】第２実施例と対比するために面付け処理を行なわない配置の一例を示す説明図である。
【図１８】第２実施例の変形例による配置の一例を示す説明図である。
【図１９】第３実施例における色合わせペアデータＣＴの例を示す説明図である。
【図２０】第３実施例における面付け処理の概要を示すフローチャートである。
【図２１】第３実施例による面付け処理の結果の一例を示す説明図である。
【図２２】第３実施例による面付け処理の他の結果を例示する説明図である。
【図２３】第４実施例の面付印刷処理の概要を示すフローチャートである。
【図２４】第４実施例による面付け処理の結果の一例を示す説明図である。
【図２５】第４実施例による面付け処理の他の結果を例示する説明図である。
【図２６】色合わせのペア指定の他の対応について説明する説明図である。
【図２７】色合わせのペアを自動計算する例を示す説明図である。
【図２８】各ページの面付け処理の一例を示す説明図である。
【図２９】従来技術について説明する説明図である。
【符号の説明】
【００６１】
１０…面付印刷システム
２０…印刷装置
３０…制御部
３１…ＣＰＵ
３２…メモリ
３４…ラインヘッドドライバ回路
３６…ＵＳＢインタフェース
３７…カードリーダインタフェース
３８…Ｉ／Ｏインタフェース
４０…操作パネル
５０…メモリカードリーダ
６０…ＵＳＢコネクタ
６２…ＵＳＢケーブル
７０…インクカートリッジ
７２…インク供給管
８０…ラインヘッド
９０…用紙搬送機構
９１…プラテン
９２…紙送りモータ
ＫＢ…キーボード
ＭＣ…マウス
ＰＣ…パーソナルコンピュータ
ＳＤ…メモリカード
【図１】
2009223846.tif 000003
【図２】
2009223846.tif 000004
【図３】
2009223846.tif 000005
【図４】
2009223846.tif 000006
【図５】
2009223846.tif 000007
【図６】
2009223846.tif 000008
【図７】
2009223846.tif 000009
【図８】
2009223846.tif 000010
【図９】
2009223846.tif 000011
【図１０】
2009223846.tif 000012
【図１１】
2009223846.tif 000013
【図１２】
2009223846.tif 000014
【図１３】
2009223846.tif 000015
【図１４】
2009223846.tif 000016
【図１５】
2009223846.tif 000017
【図１６】
2009223846.tif 000018
【図１７】
2009223846.tif 000019
【図１８】
2009223846.tif 000020
【図１９】
2009223846.tif 000021
【図２０】
2009223846.tif 000022
【図２１】
2009223846.tif 000023
【図２２】
2009223846.tif 000024
【図２３】
2009223846.tif 000025
【図２４】
2009223846.tif 000026
【図２５】
2009223846.tif 000027
【図２６】
2009223846.tif 000028
【図２７】
2009223846.tif 000029
【図２８】
2009223846.tif 000030
【図２９】
2009223846.tif 000031